(57)【要約】【課題】ディスクに記録された情報からディスクの印刷面への印刷までの行程が一貫して容易に行え、且つ作成したディスクの整理を簡単に行うことが可能な省設置性のディスク記録再生装置を提供する。【解決手段】光ディスク１に対する映像音声データストリームの記録再生手段と、光ディスク１の印刷面１ｂに文字画像情報等を印刷する為の印刷手段とを設け、光ディスク１から読み出した映像、またはディスクに書き込む映像像等をキャプチャして得た画像を光ディスク１の印刷面１ｂに印刷する。【選択図】　　　　図２
2004074666.tif 000002
【特許請求の範囲】
【請求項１】
ディスクを、該ディスクの記録面と垂直な軸回りに所定の回転速度で回転する回転制御手段と、
前記ディスクを回転可能な状態で移動規制する固定手段と、
前記ディスクの前記記録面に対して映像音声データストリームを記録及び／又は再生する記録／再生手段と、
前記ディスクの前記記録面と反対側の表面に対向する位置に配設可能とされ、文字及び／又は画像情報を印刷データとして印刷するための印刷手段と、
前記映像音声データストリームの記録再生動作及び文字画像情報の印刷動作を制御するシステム制御手段と
を有することを特徴とするディスク装置。
【請求項２】
更に、前記文字情報を入力するための入力デバイスを備えたことを特徴とする請求項１記載のディスク装置。
【請求項３】
更に、前記ディスクに記録された前記映像音声データストリームの再生に際し、該映像音声データストリームの映像情報の一部である画像情報を記憶する内部記憶手段を有し、
該内部記憶手段によって記憶された前記画像情報を前記印刷データとして前記印刷手段によって印刷することを特徴とする請求項１記載のディスク装置。
【請求項４】
更に、前記ディスクに前記映像音声データストリームを記録するに際し、該映像音声データストリームの映像情報の一部である画像情報を記憶する内部記憶手段を有し、
該内部記憶手段によって記憶された前記画像情報を前記印刷データとして前記印刷手段によって印刷することを特徴とする請求項１記載のディスク装置。
【請求項５】
更に、任意に用意した印刷情報を保持し且つ読み出し可能な外部記憶手段を有し、
該外部記憶手段から読み出した前記印刷情報を前記印刷データとして前記印刷手段によって印刷することを特徴とする請求項１記載のディスク装置。
【請求項６】
前記システム制御手段は、前記ディスクが軸回転動作を停止している状態において、前記固定手段の存在によって印刷不可能となる領域以外の前記ディスクの表面に対し、その全域又は一部にわたって前記印刷データを前記印刷手段によって印刷することを特徴とする請求項１乃至５の何れかに記載のディスク装置。
【請求項７】
更に、前記ディスクを任意の回転角位置に回転制御する回転位置制御手段を有し、
前記ディスクを所望の回転角位置に停止させることを特徴とする請求項６記載のディスク装置。
【請求項８】
更に、前記記録／再生手段を構成する対物レンズをカバーするカバー機構を有し、
少なくとも前記印刷手段が印刷動作を実行している間、該カバー機構によって、前記対物レンズをカバーすることを特徴とする請求項１乃至７の何れかに記載のディスク装置。
【発明の詳細な説明】
【０００１】
【発明の属する技術分野】
本発明は、映像音声データ等を収録するディスクの記録／再生を行うディスク装置に関し、特にディスクの識別を容易とする機能を有するディスク装置に関するものである。
【０００２】
【従来の技術】
図１０は、一部のインクジェット式によるプリンター装置１００を使用してディスク１０４の印刷面に印刷を行う際の、公知の印刷方法を説明するための外形図である。
【０００３】
同図中、１０４は映像音声データストリームが記録されている円盤形状のディスク、１００はインクジェット方式によるプリンター装置、１０１はディスク１をプリンター装置内部の印刷ヘッド部まで引き込むローディング機構を構成するトレイ、１０２は文字画像データを生成してプリンター装置１００を制御するホストコンピュータである。
【０００４】
以上の構成において、ディスク１０４の印刷面へ印刷する従来の印刷方法について説明する。図示しない光ディスク記録再生装置などによって記録したディスク１をこの装置から取り出し、同図に示すように別途準備したインクジェット方式によるプリンター装置１００のローディング機構のトレイ１０１に装着する。更にユーザーは、ホストコンピュータ１０２を用いてディスクの記録内容に関連した文字画像等のデータを作成してこのプリンター装置１００に転送する。これによってディスク１０４の印刷面に作成した文字画像等の印刷が行われる。
【０００５】
またその他の一部のインクジェット方式によるプリンター装置では、ディスク１０４の表面の形状に合わせたシートにディスクの記録内容に関連した文字画像等のデータを印刷し、印刷されたこのシートをディスク１０４の表面に張り合わせるなどの方法が広く知られている。
【０００６】
【発明が解決しようとする課題】
従来の方法によるディスク１０４の印刷面（表面）への印刷方法では、光ディスク記録再生装置によって記録したディスク１０４に文字画像を印刷する場合に、ユーザーは別途プリンター装置１００及びホストコンピュータ１０２を準備しなければならなかった。更に、これらの機器のための設置場所の確保も必要であった。
【０００７】
また、ディスク１０４に記録された映像音声ストリーム等の情報を的確に示す文字画像等をディスク１０４の印刷面（表面）へ印刷することが好ましいが、ホストコンピュータ１０２などを用いて作成する場合、これ等の画像データの入手が困難であったり、情報を文字画像等に変換するための装置の習熟が必要となるなどの問題点があった。
【０００８】
また、光ディスク記録再生装置により情報を記録したディスク１０４を一旦このディスク記録再生装置から取り出し、プリンター装置１００を用いて文字画像等を印刷する前や、手書き文字情報等を記す前の状態のままで放置すると、ディスク１０４の印刷面にはまだ記録内容を示す文字画像情報等が記されていないためにディスクの記録内容の把握が困難となり、再度ディスク１０４を再生して記録された情報を確認しなければならなくなる問題点があった。
【０００９】
そこで、本発明は上記の問題点を解決するためになされたもので、ディスクに対する映像音声データストリームの記録又は再生から、印刷対象となる文字或いは画像等の印刷データをディスクの印刷面へ印刷するまでの行程を一貫して容易に行えるようにし、作成したディスクの整理が簡単に行える、省設置性のディスク装置を提供することを目的とする。
【００１０】
【課題を解決するための手段】
請求項１のディスク装置は、
ディスクを、該ディスクの記録面と垂直な軸回りに所定の回転速度で回転する回転制御手段と、前記ディスクを回転可能な状態で移動規制する固定手段と、
前記ディスクの前記記録面に対して映像音声データストリームを記録及び／又は再生する記録／再生手段と、前記ディスクの前記記録面と反対側の表面に対向する位置に配設可能とされ、文字及び／又は画像情報を印刷データとして印刷するための印刷手段と、前記映像音声データストリームの記録再生動作及び文字画像情報の印刷動作を制御するシステム制御手段と
を有することを特徴とする。
【００１１】
請求項２のディスク装置は、請求項１記載のディスク装置において、
更に、前記文字情報を入力するための入力デバイスを備えたことを特徴とする。
また、請求項３のディスク装置は、請求項１記載のディスク装置において、
更に、前記ディスクに記録された前記映像音声データストリームの再生に際し、該映像音声データストリームの映像情報の一部である画像情報を記憶する内部記憶手段を有し、
該内部記憶手段によって記憶された前記画像情報を前記印刷データとして前記印刷手段によって印刷することを特徴とする。
【００１２】
請求項４のディスク装置は、請求項１記載のディスク装置において、
更に、前記ディスクに前記映像音声データストリームを記録するに際し、該映像音声データストリームの映像情報の一部である画像情報を記憶する内部記憶手段を有し、
該内部記憶手段によって記憶された前記画像情報を前記印刷データとして前記印刷手段によって印刷することを特徴とする。
また、請求項５のディスク装置は、請求項１記載のディスク装置において、
更に、任意に用意した印刷情報を保持し且つ読み出し可能な外部記憶手段を有し、
該外部記憶手段から読み出した前記印刷情報を前記印刷データとして前記印刷手段によって印刷することを特徴とする。
【００１３】
請求項６のディスク装置は、請求項１乃至５の何れかに記載のディスク装置において、
前記システム制御手段が、前記ディスクが軸回転動作を停止している状態において、前記固定手段の存在によって印刷不可能となる領域以外の前記ディスクの表面に対し、その全域又は一部にわたって前記印刷データを前記印刷手段によって印刷することを特徴とする。
また、請求項７のディスク装置は、請求項６記載のディスク装置において、
更に、前記ディスクを任意の回転角位置に回転制御する回転位置制御手段を有し、
前記ディスクを所望の回転角位置に停止させることを特徴とする。
【００１４】
請求項８のディスク装置は、請求項１乃至７の何れかに記載のディスク装置にいおて、
更に、前記記録／再生手段を構成する対物レンズをカバーするカバー機構を有し、
少なくとも前記印刷手段が印刷動作を実行している間、該カバー機構によって、前記対物レンズをカバーすることを特徴とする。
【００１５】
【発明の実施の形態】
以下、本発明を、その各実施の形態を示す図面に基づいて具体的に説明する。
【００１６】
実施の形態１．
図１は、本発明のディスク装置に基づく実施の形態１のディスク記録再生装置３１の構成を示すブロック図である。
【００１７】
同図中、１は映像音声データストリームを録画／再生（書き込みと読み出し）可能な光ディスク、２は光ディスク１を所定位置に固定して軸回転を行えるように支持する固定手段に相当するクランパー、３は光ディスク１を軸回転させるためのスピンドルモータ部、４はスピンドルモータ部３の回転速度を制御するスピンドルモータ駆動制御回路、５は光ディスク１に対して映像音声データストリームの読み出しと書き込みを行う光ヘッド部、６は光ヘッド部をドライブするための光ヘッド駆動制御回路、７は映像音声データストリームのエンコード処理またはデコード処理を行うエンコーダ／デコーダ部、８は光ディスク１の表面にインク塗料を射出して文字画像の印刷を行うインクジェットヘッド部、９はインクジェット部８をドライブするためのインクジェット駆動制御回路、２２はユーザーによる操作を受け付け、この操作情報をコントローラ１０に出力するパネルキーなどの入力デバイスである。
【００１８】
１０はスピンドルモータ駆動制御回路４、光ヘッド駆動制御回路６、エンコーダ／デコーダ部７、インクジェット駆動制御回路９、及び入力デバイス２２と個々にデータを送受信し、これ等の制御を行うコントローラである。
【００１９】
尚、スピンドルモータ部３及びスピンドルモータ駆動制御回路４が回転制御手段に相当し、光ヘッド部５及びエンコーダ／デコーダ部７が記録／再生手段に相当し、インクジェットヘッド部８及びインクジェット駆動制御回路９が印刷手段に相当し、コントローラ１０がシステム制御手段に相当する。
【００２０】
以上の構成において、同図を参照しながら実施の形態１のディスク記録再生装置３１の動作を説明する。
【００２１】
まず、光ディスク１の記録面１ａに対する映像音声データの記録再生方法について説明する。ＤＶＤ−Ｒ、又はＤＶＤ−ＲＷディスク等に相当する光ディスク１は、クランパー２によって軸回転が可能な状態に支持されている。この光ディスク１は、映像音声データの記録再生を行う記録面１ａと、データの記録を行わない印刷面（表面）１ｂを有している。
【００２２】
スピンドルモータ部３は、例えばＤＣモータで構成され、スピンドルモータ駆動制御回路４にはモータ駆動ドライバ、及び光ディスクの回転速度を検出してスピンドルモータ部３を速度制御する機能を備えている。光ヘッド部５は、レーザー発光機能、レーザー反射受光機能、及び光ディスクの半径方向の任意箇所に移動する移動機能を備えており、光ヘッド駆動制御回路６によって駆動される。また、光ヘッド部５は、記録再生動作時以外は、光ディスクから離間した所定の待機位置に移動する。
【００２３】
光ディスク１の記録面に番組等の映像音声データを記録する場合には、映像音声の入力信号がエンコーダ／デコーダ部７にてＭＰＥＧ２形式などの記録に適したフォーマットのデータストリームにエンコード処理され、スピンドルモータ部３によって所定の回転速度で軸回転する光ディスク１の記録面１ａに対して光ヘッド部５からレーザーを照射し、光ディスク１の記録面１ａに映像音声データストリームを記録する。
【００２４】
光ディスク１の記録面に記録された映像音声データストリームを再生する場合には、光ヘッド部５が、スピンドルモータ部３によって所定の回転速度で軸回転する光ディスク１の記録面１ａに対して、自ら照射したレーザーの反射を受光して映像音声データストリームを読み出し、エンコーダ／デコーダ部７でＭＰＥＧ２形式などの記録フォーマットに準じてデコード処理し、番組等の映像音声データの出力信号を得る。尚、映像音声データの記録と再生の一連の動作は、コントローラ１０によってシステム全体が制御されて行われる。
【００２５】
次に、光ディスク１の印刷面１ｂへの文字情報の印刷方法について説明する。インクジェットヘッド部８は、インク塗料を射出する印刷機能、及び光ディスク１の半径方向の任意位置に移動する移動機能を備え、インクジェット駆動制御回路９によって駆動される。
【００２６】
一方、印刷される文字情報は、適宜ユーザーが入力デバイス２２を通じて入力し、コントローラ１０内の記憶部に保存され、その後印刷用のデータに変換されてインクジェット駆動制御回路９に送られる。
【００２７】
インクジェットヘッド部８が光ディスク１の半径方向に移動する際、インクジェットヘッド部８に対する光ディスク１の印刷箇所が所定の一定線速度となるようにスピンドルモータ３を回転駆動し、この状態でインクジェットヘッド部８からインク塗料を所定のタイミングで射出することにより、円周方向に前記文字情報を印刷データとして印刷することができる。
【００２８】
印刷の際のスピンドルモータ３の回転速度は、記録再生に適した回転速度とは異なるものである。また、印刷する文字情報は、光ディスク１が回転する円周方向で印刷された時に所望の形状が得られるように、あらかじめコントローラ１０にて印刷用データが生成されるものである。尚、文字情報の印刷の一連の動作は、コントローラ１０によってシステム全体が制御されて行われる。
【００２９】
以上のように、実施の形態１のディスク記録再生装置３１によれば、光ディスク１に対し、記録或いは再生を行ったままのディスク装着状態において、そのまま一貫して光ディスク１の印刷面１ｂに所望の文字情報を印刷できるので、ホストコンピュータやプリンター装置が不要となり、また光ディスク１の記録内容が把握できなくなるような事態を防ぐことができる。
【００３０】
実施の形態２．
図２は、本発明のディスク装置に基づく実施の形態２のディスク記録再生装置３２の要部構成を示すブロック図である。
【００３１】
この実施の形態２のディスク記録再生装置３２が、図１に示す前記した実施の形態１のディスク記録再生装置３１に対して構成的に異なる点は、グラフィックプロセッサ２０、内部記憶手段に相当する内部記憶領域２１が新たに追加された点と、エンコータ／デコーダ部７（図１）に換えてデコーダ１２を有する点である。従って、本実施の形態２のディスク記録再生装置３２が実施の形態１のディスク記録再生装置３１に対して同一、或いはそれに相当する部分には同符号を付してその説明を省略し、異なる点を重点的に説明する。
【００３２】
図２中、１２は前記光ディスク１に記録されている映像音声データストリームのデコード処理を行うデコータ部、２０はデコータ部１２から出力される映像データの特定フレームをキャプチャするグラフィックプロセッサ、２１はグラフィックプロセッサ２０でキャプチャした画像情報を保持する内部記憶領域、そして、デコーダ部１２から出力される映像音声データは、図示しない所定の信号処理回路を経てディスプレイ及びスピーカに至って視聴可能に再生される。
【００３３】
以上の構成において、同図を参照しながら実施の形態２のディスク記録再生装置３２の動作を説明する。
【００３４】
実施の形態２のディスク記録再生装置３２は、スピンドルモータ部３によって軸回転する光ディスク１の情報が記録された記録面１ａに対して光ヘッド部５からレーザーを照射し、その反射光を受光することで映像音声データストリームを読み出し、デコーダ部１２でＭＰＥＧ２形式などの記録フォーマットに準じてデコード処理することで番組等の映像音声データの出力信号を得る。
【００３５】
その際、ユーザーが、再生中の映像音声を視聴しながら所望の画像が再生されるタイミングで入力デバイス２２の所定のキー操作を行うと、コントローラ１０は、入力デバイス２２を通じてこの操作情報を入力し、グラフィックプロセッサ２０に対してこの再生画像の特定フレームの静止画像をキャプチャするよう、指令を出してこれを制御する。
【００３６】
尚、グラフィックプロセッサ２０でキャプチャした静止画像情報は、例えばコントローラ１０の内部などに設けたエンコード機能によりＪＰＥＧやＴＩＦＦなどの形式に圧縮されても良い。この場合、圧縮された静止画像情報は、例えばコントローラ１０内部などに設けたデコード機能により復号される。
【００３７】
グラフィックプロセッサ２０によってキャプチャした静止画像は、内部記憶領域２１に一時的に蓄えられる。内部記憶領域２１に蓄えられた静止画像情報は後でコントローラ１０によって読み出され、印刷用の印刷データに変換されてインクジェット駆動制御回路９に送られる。
【００３８】
光ディスク１の印刷面１ｂへこの静止画像情報を印刷する際には、インクジェットヘッド部８が光ディスク１の半径方向に移動する際、インクジェットヘッド部８に対する光ディスク１の印刷箇所が、情報再生に適した速度と異なる印刷を行うのに適した所定の一定線速度となるようにスピンドルモータ３を回転駆動し、この状態でインクジェットヘッド部８からインク塗料を所定のタイミングで射出することにより、円周方向に静止画像情報を印刷データとして印刷することができる。印刷する静止画像は、光ディスク１が回転する円周方向で印刷された時に所望の静止画像が得られるように、あらかじめコントローラ１０によって印刷用データが生成されるものである。
【００３９】
ここでは再生中の映像の静止画像を印刷する動作について説明したが、ユーザーが入力デバイス２２を通じて入力したテキストを、この静止画像に重畳して印刷できるように構成することもできる。
【００４０】
以上のように、実施の形態２のディスク記録再生装置３２によれば、実施の形態１と同様の効果が得られる他、再生映像中の所望の一静止画像を光ディスク１の印刷面１ｂに印刷することができる。
【００４１】
実施の形態３．
図３は、本発明のディスク装置に基づく実施の形態３のディスク記録再生装置３３の要部構成を示すブロック図である。
【００４２】
この実施の形態３のディスク記録再生装置３３が、図２に示す前記した実施の形態２のディスク記録再生装置３２に対して構成的に異なる点は、デコーダ部１２に換えてエンコーダ１３を有する点である。従って、本実施の形態３のディスク記録再生装置３３が実施の形態２のディスク記録再生装置３２に対して同一、或いはそれに相当する部分には同符号を付してその説明を省略し、異なる点を重点的に説明する。
【００４３】
図３中、１３は番組等の映像音声データの入力信号を映像音声データストリームにエンコード処理を行うエンコーダ部である。
【００４４】
以下、図３を参照しながら実施の形態３の動作を説明する。実施の形態３のディスク記録再生装置３３は、放送波や外部入力Ｉ／Ｆなどから入力する入力信号としての映像音声データ（番組等）を、エンコーダ１３にてＭＰＥＧ２形式などの記録に適したフォーマットのデータストリームにエンコード処理し、スピンドルモータ部３によって軸回転する光ディスク１の記録面１ａに対して光ヘッド部５からレーザーを照射して、この記録面１ａに映像音声データストリームを記録している。
【００４５】
その際、ユーザーが、記録中の映像音声を視聴しながら所望の画像が記録されるタイミングで入力デバイス２２の所定のキー操作を行うと、コントローラ１０は、入力デバイス２２を通じてこの操作情報を入力し、グラフィックプロセッサ２０に対してこの記録画像の特定フレームの静止画像をキャプチャするよう、指令を出してこれを制御する。
【００４６】
尚、グラフィックプロセッサ２０でキャプチャした静止画像情報は、例えばコントローラ１０の内部などに設けたエンコード機能によりＪＰＥＧやＴＩＦＦなどの形式に圧縮されても良い。この場合、圧縮された静止画像情報は、例えばコントローラ１０内部などに設けたデコード機能により復号される。
【００４７】
グラフィックプロセッサ２０によってキャプチャした静止画像は、内部記憶領域２１に一時的に蓄えられる。内部記憶領域２１に蓄えられた静止画像情報は後でコントローラ１０によって読み出され、印刷用の印刷データに変換されてインクジェット駆動制御回路９に送られる。
【００４８】
光ディスク１の印刷面１ｂへこの静止画像データを印刷する際には、インクジェットヘッド部８が光ディスク１の半径方向に移動する際、インクジェットヘッド部８に対する光ディスク１の印刷箇所が、情報記録に適した速度と異なる印刷を行うのに適した所定の一定線速度となるようにスピンドルモータ３を回転駆動し、この状態でインクジェットヘッド部８からインク塗料を所定のタイミングで射出することにより、円周方向に静止画像情報を印刷データとして印刷することができる。印刷する静止画像は、光ディスク１が回転する円周方向で印刷された時に所望の静止画像が得られるように、あらかじめコントローラ１０によって印刷用データが生成されるものである。
【００４９】
ここでは記録中の映像の静止画像を印刷する動作について説明したが、ユーザーが入力デバイス２２を通じて入力したテキストを、この静止画像に重畳して印刷できるように構成することもできる。
【００５０】
以上のように、実施の形態３のディスク記録再生装置３３によれば、実施の形態１と同様の効果が得られる他、記録映像中の所望の一静止画像を光ディスク１の印刷面１ｂに印刷することができる。
【００５１】
実施の形態４．
図４は、本発明のディスク装置に基づく実施の形態４のディスク記録再生装置３４の要部構成を示すブロック図である。
【００５２】
この実施の形態４のディスク記録再生装置３４が、図１に示す前記した実施の形態１のディスク記録再生装置３１に対して構成的に異なる点は、外部記憶手段に相当する外部記憶装置４０が新たに追加された点である。従って、本実施の形態４のディスク記録再生装置３４が実施の形態１のディスク記録再生装置３１に対して同一、或いはそれに相当する部分には同符号を付してその説明を省略し、異なる点を重点的に説明する。
【００５３】
図４に示すように、このディスク記録再生装置３４は、フレキシブルディスクやフラッシュメモリカードなどリムーバブルな記録メディアからデータの読み出しを行う外部記憶装置４０を備えており、前記記録メディアにビットマップ形式やＪＰＥＧまたはＴＩＦＦなどの種々の形式で圧縮された文字画像情報が記録されている。外部記憶装置４０から読み出した文字画像情報はコントローラ１０によって読み出され、印刷用の印刷データに変換されてインクジェット駆動制御回路９に送られる。
【００５４】
光ディスク１の印刷面１ｂへこの文字画像情報を印刷する際には、インクジェットヘッド部８が光ディスク１の半径方向に移動する際、インクジェットヘッド部８に対する光ディスク１の印刷箇所が、情報の記録再生に適した速度と異なる印刷を行うのに適した所定の一定線速度となるようにスピンドルモータ３を回転駆動し、この状態でインクジェットヘッド部８からインク塗料を所定のタイミングで射出することにより、円周方向に文字画像情報を印刷データとして印刷することができる。印刷する文字画像は、光ディスク１が回転する円周方向で印刷された時に所望の文字画像が得られるように、あらかじめコントローラ１０によって印刷用データが生成されるものである。
【００５５】
ここでは外部記憶装置４０から入力した文字画像情報を印刷する動作について説明したが、ユーザーが入力デバイス２２を通じて入力したテキストを、この文字画像に重畳して印刷できるように構成することもできる。
【００５６】
更に、前記記録メディアに複数の文字画像情報が格納されている場合には、ユーザーは入力デバイス２２によって所望の文字画像情報を選択することになる。ユーザーは入力デバイス２２を操作することにより、文字画像情報上から任意の一部を選択して印刷を行うこともできる。
【００５７】
以上のように、実施の形態４のディスク記録再生装置３４によれば、前記した実施の形態１と同様の効果が得られる他、市販のイラスト集や写真集、或いはパソコンで自ら作成したイラスト・写真画像等から、自由に選択した文字画像情報を光ディスク１の印刷面１ｂに印刷することができる。
【００５８】
実施の形態５．
図５は、本発明のディスク装置に基づくディスク記録再生装置のインクジェットヘッド部８による実施の形態５の印刷方法を説明するための説明図である。
【００５９】
この実施の形態５の印刷方法が、例えば前記した実施の形態１のディスク記録再生装置３１よって行われる印刷方法と異なる点は、
（１）印刷時に光ディスク１を回転させない点
（２）インクジェットヘッド部８が、光ディスク１の所定の半径方向（矢印Ａ方向）及びこの半径方向と直交する接線方向（矢印Ｂ方向）に移動可能とした点
である。その他の構成的な部分は、実施の形態１のディスク記録再生装置３１と全く同じであるため、これらについては、図を省いて説明を省略する。
【００６０】
従って、図１及び図５を参照しながら、実施の形態５の印刷方法について説明する。
【００６１】
実施の形態５の印刷方法は、光ディスク１の回転を停止した状態で、その印刷面１ｂに印刷を行うことに特徴がある。即ち、インクジェットヘッド部８は、インクジェット駆動制御回路９によって、光ディスク１の接線方向及び半径方向への二次元平面内で自由に移動できるように位置制御され、任意の位置に移動しながらインク塗料を射出して印刷を行う。但し、本実施の形態では、ディスク１の印刷面１ｂのうちクランパー２によって遮蔽されている部位に対しては、印刷することができない。
【００６２】
以上のように、実施の形態５の印刷方法によれば、印刷する光ディスクが回転していないため、取込んだ文字／画像情報を、更に特殊な印刷画像データに変換する必要がない。また、光ディスク１を、記録再生時とは異なる、印刷に適した所望の回転速度に制御する必要がないため、回路構成を簡素化できる。
【００６３】
実施の形態６．
図６は、本発明のディスク装置に基づく実施の形態６のディスク記録再生装置３５の要部構成を示すブロック図である。
【００６４】
この実施の形態６のディスク記録再生装置３５が、図１に示す前記した実施の形態１のディスク記録再生装置３１に対して構成的に異なる点は、新たにピンチローラ６０、モータ６１、モータ駆動制御回路６２、及びアーム機構部６３が追加された点である。尚、これらの追加部品は回転位置制御手段に相当する。従って、本実施の形態６のディスク記録再生装置３５が実施の形態１のディスク記録再生装置３１に対して同一、或いはそれに相当する部分には同符号を付してその説明を省略し、異なる点を重点的に説明する。
【００６５】
同図中、６０は光ディスク１の外周側面と接触して軸回転を行うピンチローラ、６１はピンチローラ６０を回転するステッピングモータなどで構成されるモータ、６２はモータ６１の回転量を制御するモータ駆動制御回路である。６３はピンチローラ６０の軸回転動作を支持し、所定の条件においてピンチローラ６０を光ディスク１の外周側面に接触するように移動を補助するアーム機構部である。
【００６６】
図７は実施の形態６のディスク記録再生装置３５の回転及び移動機構の動作を説明するための動作説明図であり、図８はディスク記録再生装置３５によって印刷される光ディスクの印刷面１ｂの印刷領域の一例を示す動作説明図である。
【００６７】
以上の図６から図８を参照しながら実施の形態６のディスク記録再生装置３５の動作を説明する。
【００６８】
まず、図６と図７を参照しながら印刷の際のディスク回転動作について説明する。インクジェットヘッド部８は、前記した実施の形態５の場合と同様に、インクジェット駆動制御回路９によって所定の半径方向（矢印Ａ方向）及びこの半径方向と直交する接線方向（矢印Ｂ方向）への二次元平面内で自由に移動できるように構成されている。従って、各方向での移動可能範囲内の任意の位置に移動制御されながらインク塗料を射出して印刷を行うことができる。
【００６９】
ピンチローラ６０は、光ディスク１が、記録再生動作のためにスピンドルモータ３によって軸回転動作している際には、アーム機構部６３によって矢印Ｅ方向に移動し、光ディスク１の回転動作の妨げとならない位置に退避している。一方、印刷動作時に際しては、スピンドルモータ３による光ディスク１の軸回転が停止状態とされ、この状態において、ピンチローラ６０が光ディスクの外周側面に接触するようにアーム機構部６３によって移動される。
【００７０】
ピンチローラ６０は、モータ６１によって任意回転量だけ回転し、光ディスク１を所望の回転角に設定する。例えば、ピンチローラ６０の回転に応じて光ディスク１が伝達ロス無く回転し、且つピンチローラ６０の円周が光ディスク１の円周に対して１：４の関係がある場合、ピンチローラ６０が時計回りに１回転することで光ディスク１を反時計回りに９０度回転することができる。
【００７１】
次に、図８を参照しながら、光ディスク１の印刷面１ｂへの印刷方法について説明する。
【００７２】
印刷動作時には、前記したようにスピンドルモータ部３による光ディスク１の軸回転は停止されるので、この停止状態において、光ディスク１の印刷面（表面）１ｂのうちクランパー２によって遮蔽されていない部位である第一の印刷領域８０ａに対して文字画像を印刷することができる。次にモータ６１（図６）を駆動して光ディスク１を半時計回りに略９０°回転することによってクランパー２に遮蔽されていた部位が露出し、その未印刷である第二の印刷領域８０ｂに対して文字画像を印刷することが出来る。以下同様にモータ６１を駆動して光ディスク１を略９０°ずつ同方向に回転することによって、第三の印刷領域８０ｃ及び第四の印刷領域８０ｄに対しても文字画像を印刷することができる。
【００７３】
ここでは光ディスク１が９０度毎に３回の回転移動を行って４分割した領域を印刷可能領域に露出させる方法を述べたが、印刷領域をさらに細分化しても構わない。また隣り合った印刷領域では、印刷する文字画像が必ずしも継ぎ目なくシームレスに印刷される必要は無く、文字画像の重複や一部印刷されない間隙が存在しても構わない。
【００７４】
以上のように、実施の形態６のディスク記録再生装置３５によれば、光ディスクの印刷面１ｂの印刷可能な全ての領域に渡って、余すことなく所望の文字画像を印刷することが可能となる。
【００７５】
実施の形態７．
図９は、本発明のディスク装置に基づくディスク記録再生装置に備えられる実施の形態７のヘッドカバー機構の概略説明図である。
【００７６】
同図に示す光ヘッド部５は、例えば図１に示す実施の形態１のディスク記録再生装置３１の光ヘッド部５であってよく、このため、本実施の形態７のヘッドカバー機構７１は、例えば前記した実施の形態１のディスク記録再生装置３１に追加して配設されたものとして以下に説明する。
【００７７】
従って、同図に示すヘッドカバー機構７１に関係する部分以外の構成は、実施の形態１のディスク記録再生装置３１と全く同じであるため、これらの構成を示す図を省いて説明を省略し、必要に応じて実施の形態１のディスク記録再生装置３１を示す図１を参照する。
【００７８】
図９の光ヘッド部５は、ディスク記録再生装置３１（図１）内の所定の待機位置、即ち光ヘッド部５が記録再生動作時以外に待機する位置に移動された状態となっている。７０は光ヘッド部５の一部で、レーザー光を光ディスクに集光し、更にその反射光を受光する対物レンズである。７１は待機位置にある光ヘッド部５の近傍に配設さるヘッドカバー機構で、光ヘッド部５を覆うカバー７２と、このカバーの移動を案内するガイド７３と、このガイドに導かれ、カバー７２を、光ヘッド部５を覆う保護位置と非保護位置との間で移動駆動する図示しない駆動手段とからなる。また、この駆動手段は、後述するように、コントローラ１０（図１）によって制御される。
【００７９】
以上の構成において、図１、図９を参照しながら実施の形態７の動作を説明する。実施の形態７のカバー機構７１は、少なくともインクジェットヘッド部８によって光ディスク１の印刷面１ｂに印刷が行われる間、カバー７２によって対物レンズ７０を覆い隠して保護するように動作する。即ち、カバー機構７１は、光ディスク１からの映像音声データストリームの読み出し又は記録を行っていない状態において、カバー７２が光レンズ７０を覆い隠す保護位置（図９に点線で示す位置）に移動するようにコントローラ１０によって制御され、印刷動作中にインクジェットヘッド部８から射出されるインク塗料が光レンズ７０に付着するのを防ぐ。
【００８０】
以上のように、実施の形態７のヘッドカバー機構７１によれば、光ディスク１の印刷面１ｂに印刷が行われている間、レーザー光の出入口となる対物レンズ７０がカバーされるため、インクジェットヘッド部８から射出されたインク塗料がこの対物レンズ７０に付着して記録再生動作自体が出来なくなってしまうような事態を防ぐことができる。
【００８１】
尚、前記各実施の形態では、光ディスクを用いたが、必ずしも光ディスクである必要はなく、磁気ディスクでも同様の形態がとれる。磁気ディスクの場合、ディスクから情報記録を読み取る、またはディスクへ情報記録を書き込む時、光ヘッドを用いず、磁気ディスクに対応したヘッドを用いればよい。
【００８２】
また、前記実施の形態６では、ピンチローラ６０によって、光ディスク１を任意の回転角に設定するように構成したが、これに限定されるものではなく、スピンドルモータ部３及びスピンドルモータ駆動制御回路４によって、光ディスク１の回転角まで制御できるように構成してもよいなど、種々の態様を採り得るものである。
【００８３】
【発明の効果】
請求項１のディスク装置によれば、ディスクに対する映像音声データストリームの記録再生機能とディスク表面に対する文字／画像の印刷機能とを備えることで、ユーザーはディスクに対する映像音声データストリームの記録／再生からディスク表面への印刷までの行程を安易に行うことができ、且つ作成したディスクの整理を簡単に行うことが可能となる。更に、プリンター装置を別途用意する必要は無く、設置の省スペース化を図ることができる。
【００８４】
請求項２に記載のディスク装置によれば、請求項１の効果に加え、ユーザーによって入力する文字情報を印刷データとしてディスク表面に印刷することができる。
【００８５】
請求項３に記載のディスク装置によれば、請求項１の効果に加え、ディスクから読み出した映像音声データストリームの再生映像の一部をキャプチャし、ディスク表面にその静止画像を印刷データとして印刷することができる。
【００８６】
請求項４に記載のディスク装置によれば、請求項１の効果に加え、ディスクに記録する映像音声データストリームの入力映像の一部をキャプチャし、ディスク表面にその静止画像を印刷データとして印刷することができる。
【００８７】
請求項５に記載のディスク装置によれば、請求項１の効果に加え、外部記憶手段から読み出した文字画像情報を印刷データとしてディスク表面に印刷することができる。
【００８８】
請求項６に記載のディスク装置によれば、ディスクを回転停止した状態でディスク表面に印刷するようにしたので、ディスクを記録再生に適した回転速度と印刷に適した一定回転速度とに切替える制御が不要になるのでシステムが簡略化でき、また印刷用データを円周方向に印刷するための変換処理が不要となる。
【００８９】
請求項７に記載のディスク装置によれば、ディスクを回転停止した状態でディスク表面に印刷するようにし、更にディスクを任意角度位置に軸回転できるようにしたので、請求項６の効果に加え、ディスクの全周に文字画像の印刷を行うことができる。
【００９０】
請求項８に記載のディスク装置によれば、文字画像を印刷する際に可動式のカバー機構により対物レンズを覆うようにしたので、インクジェットヘッド部から射出するインク塗料の飛沫から対物レンズを保護することができる。
【図面の簡単な説明】
【図１】本発明のディスク装置に基づく実施の形態１のディスク記録再生装置３１の構成を示すブロック図である。
【図２】本発明のディスク装置に基づく実施の形態２のディスク記録再生装置３２の要部構成を示すブロック図である。
【図３】本発明のディスク装置に基づく実施の形態３のディスク記録再生装置３３の要部構成を示すブロック図である。
【図４】本発明のディスク装置に基づく実施の形態４のディスク記録再生装置３４の要部構成を示すブロック図である。
【図５】本発明のディスク記録再生装置のインクジェットヘッド部８による実施の形態５の印刷方法を説明するための説明図である。
【図６】本発明のディスク装置に基づく実施の形態６のディスク記録再生装置３５の要部構成を示すブロック図である。
【図７】実施の形態６のディスク記録再生装置３５の回転及び移動機構の動作を説明するための動作説明図である。
【図８】ディスク記録再生装置３５によって印刷される光ディスクの印刷面１ｂの印刷領域の一例を示す動作説明図である。
【図９】本発明のディスク装置に基づくディスク記録再生装置に備えられる実施の形態７のヘッドカバー機構の概略説明図である。
【図１０】プリンター装置１００を使用して行う従来の印刷方法を説明するための外形図である。
【符号の説明】
１　光ディスク、　１ａ　記録面、　１ｂ　印刷面、　２　クランパー、　３スピンドルモータ部、　４　スピンドルモータ駆動制御回路、　５　光ヘッド部、　６　光ヘッド駆動制御回路、　７　エンコーダ／デコーダ部、　８　インクジェットヘッド部、　９　インクジェット駆動制御回路、　１０　コントローラ、　１２　デコーダ、　１３　エンコーダ、　２０　グラフィックプロセッサ、　２１　内部記憶領域、　２２　入力デバイス、　３１　ディスク記録再生装置、　３２　ディスク記録再生装置、　３３　ディスク記録再生装置、　３４　ディスク記録再生装置、　３５　ディスク記録再生装置、　４０　外部記憶装置、　６０　ピンチローラ、　６１　モータ、　６２　モータ駆動制御回路、　６３　アーム機構部、　７０　対物レンズ、　７１　ヘッドカバー機構、　７２　カバー、　７３　ガイド、　１００　プリンター装置、　１０１　トレイ、　１０２　ホストコンピュータ、　１０４　ディスク。
【図１】
2004074666.tif 000003
【図２】
2004074666.tif 000004
【図３】
2004074666.tif 000005
【図４】
2004074666.tif 000006
【図５】
2004074666.tif 000007
【図６】
2004074666.tif 000008
【図７】
2004074666.tif 000009
【図８】
2004074666.tif 000010
【図９】
2004074666.tif 000011
【図１０】
2004074666.tif 000012